(57)【要約】【課題】  Ｃａｌｌｅｒ  ＩＤ情報を構内電話機により早く表示させることの可能な電話交換システムを提供する。【解決手段】  制御部は、局線から着呼し、Ｃａｌｌｅｒ  ＩＤパケットがＣａｌｌｅｒ  ＩＤ検出回路で検出されると（Ｓ３０１）、タイマを起動させる（Ｓ３０２）。制御部は、Ｃａｌｌｅｒ  ＩＤパケットを受信してから所定時間経過したか否かを判定し（Ｓ３０３）、Ｃａｌｌｅｒ  ＩＤパケットを受信してから所定時間経過していなければ（Ｓ３０３のＮｏ）、制御部は局線回路で新たなＣａｌｌｅｒ  ＩＤパケットを受信したか否かを判定する（Ｓ３０５）。新たなＣａｌｌｅｒ  ＩＤパケットを受信すれば（Ｓ３０５のＹｅｓ）、タイマをリセットする（Ｓ３０６）。新たなＣａｌｌｅｒ  ＩＤパケットを受信してから所定時間経過していれば（Ｓ３０３のＹｅｓ）、Ｃａｌｌｅｒ  ＩＤ情報を構内電話機に送信する（Ｓ３０４）。【選択図】      図３
2006279833.tif 000002
【特許請求の範囲】
【請求項１】
公衆電話交換網に接続され、複数の構内電話機を収容する構内交換機において、
前記公衆電話交換網からの着信時に、発信側電話機の電話番号を示すＣａｌｌｅｒ  ＩＤ情報を複数に分割されたパケットとして受信する受信手段と、
前記受信手段による前記パケットの受信後の経過時間を計測する計測手段と、
前記パケットを前記受信手段で受信した際に、前記計測手段が計測する前記経過時間をリセットするリセット手段と、
前記計測手段により計測される前記経過時間が所定時間を超過した際に、前記受信手段で受信した前記発信側電話機のＣａｌｌｅｒ  ＩＤ情報を着信側の構内電話機に送信する構内通信手段と
を備えることを特徴とする構内交換機。
【請求項２】
前記Ｃａｌｌｅｒ  ＩＤ情報は、前記発信側電話機の電話番号の他に、日付情報、発信者の氏名情報も含むこと
を特徴とする請求項１記載の構内交換機。
【請求項３】
公衆電話交換網に接続される構内交換機と、
前記構内交換機が収容する複数の構内電話機と
を備え、前記構内交換機は、
前記公衆電話交換網からの着信時に、発信側電話機の電話番号を示すＣａｌｌｅｒ  ＩＤ情報を複数に分割されたパケットとして受信する受信手段と、
前記パケットの前記受信手段による受信後の経過時間を計測する計測手段と、
前記パケットを前記受信手段で受信した際に、前記計測手段が計測する前記経過時間をリセットするリセット手段と、
前記計測手段により計測される前記経過時間が所定時間を超過した際に、前記受信手段で受信した前記発信側電話機のＣａｌｌｅｒ  ＩＤ情報を着信側の構内電話機に送信する構内通信手段と
を備え、前記構内電話機は、
前記構内交換機からの着信時に、前記発信側電話機のＣａｌｌｅｒ  ＩＤ情報を受信する通信手段と、
前記通信手段により受信したＣａｌｌｅｒ  ＩＤ情報に基づいて、前記発信側電話機の電話番号を表示する表示手段と
を備えることを特徴とする電話交換システム。
【請求項４】
前記構内電話機の前記表示手段は、前記Ｃａｌｌｅｒ  ＩＤ情報に基づいて、前記発信側電話機の電話番号、発信の日付、発信者の氏名を表示すること
を特徴とする請求項３記載の電話交換システム。
【発明の詳細な説明】
【技術分野】
【０００１】
本発明は、構内交換機及び電話交換システムに関する。
【背景技術】
【０００２】
従来より、収容する構内電話機の表示部に、発信者の電話番号等のＣａｌｌｅｒ  ＩＤ情報を表示させることのできる構内交換機がある（例えば、特許文献１参照）。この構内交換機は、公衆電話交換網（ＰＳＴＮ）側の発信者の電話番号を示すＣａｌｌｅｒ  ＩＤ情報を受信し、これを着信側の構内交換機に送信することにより、着信側の構内交換機の表示部にＣａｌｌｅｒ  ＩＤ情報を表示させる。
【０００３】
尚Ｃａｌｌｅｒ  ＩＤ情報は、通常これをいくつかに分割したパケットの形で通信され、発信者の電話番号の他に、発信者氏名や、発信日時、発信電話番号非通知理由、発信電話番号拡張情報等を含めることができる。
【特許文献１】特開平１０−１７４１３４号公報
【発明の開示】
【発明が解決しようとする課題】
【０００４】
このようなＣａｌｌｅｒ  ＩＤ情報を扱う構内交換機は一般に、Ｃａｌｌｅｒ  ＩＤ情報をＰＳＴＮから全て受信したか否かを、Ｃａｌｌｅｒ  ＩＤ情報の受信を開始してから所定の一定時間経過したか否かで判断する。すなわち、最初のＣａｌｌｅｒ  ＩＤ情報のパケットの受信を開始してから所定時間後にＣａｌｌｅｒ  ＩＤ情報を着信側の電話機に送信する。しかしながら先述の通りＣａｌｌｅｒ  ＩＤ情報は発信者の電話番号の他に様々な情報を入れることが可能であるので、データ量が大きくなることがある。そのため、閾値である所定時間も長く設定せざるを得ず、Ｃａｌｌｅｒ  ＩＤ情報が小さい場合でも着信側電話機へのＣａｌｌｅｒ  ＩＤ情報の送信が遅れてしまう問題があった。一方、閾値を短く設定すると、大きなデータ量を持つＣａｌｌｅｒ  ＩＤ情報は最後まで受信することができなくなる。
【０００５】
そこで本発明は、構内電話機にＣａｌｌｅｒ  ＩＤ情報をより早く表示させることの可能な電話交換システムを提供することを目的とする。
【課題を解決するための手段】
【０００６】
上記目的を達成するために、本発明の構内交換機は、公衆電話交換網に接続され、複数の構内電話機を収容する構内交換機において、前記公衆電話交換網からの着信時に、発信側電話機の電話番号を示すＣａｌｌｅｒ  ＩＤ情報を複数に分割されたパケットとして受信する受信手段と、前記受信手段による前記パケットの受信後の経過時間を計測する計測手段と、前記パケットを前記受信手段で受信した際に、前記計測手段が計測する前記経過時間をリセットするリセット手段と、前記計測手段により計測される前記経過時間が所定時間を超過した際に、前記受信手段で受信した前記発信側電話機のＣａｌｌｅｒ  ＩＤ情報を着信側の構内電話機に送信する構内通信手段とを備えることを特徴とする。
【０００７】
本発明の電話交換システムは、公衆電話交換網に接続される構内交換機と、前記構内交換機が収容する複数の構内電話機とを備え、前記構内交換機は、前記公衆電話交換網からの着信時に、発信側電話機の電話番号を示すＣａｌｌｅｒ  ＩＤ情報を複数に分割されたパケットとして受信する受信手段と、前記パケットの前記受信手段による受信後の経過時間を計測する計測手段と、前記パケットを前記受信手段で受信した際に、前記計測手段が計測する前記経過時間をリセットするリセット手段と、前記計測手段により計測される前記経過時間が所定時間を超過した際に、前記受信手段で受信した前記発信側電話機のＣａｌｌｅｒ  ＩＤ情報を着信側の構内電話機に送信する構内通信手段とを備え、前記構内電話機は、前記構内交換機からの着信時に、前記発信側電話機のＣａｌｌｅｒ  ＩＤ情報を受信する通信手段と、前記通信手段により受信したＣａｌｌｅｒ  ＩＤ情報に基づいて、前記発信側電話機の電話番号を表示する表示手段とを備えることを特徴とする。
【発明の効果】
【０００８】
本発明によれば、Ｃａｌｌｅｒ  ＩＤ情報を構内電話機により早く表示させることの可能な電話交換システムを提供することができる。
【発明を実施するための最良の形態】
【０００９】
以下、本発明の構内交換機及び電話交換システムについて、図面を参照しながら説明する。
【実施例１】
【００１０】
図１は、本発明の構内交換機及び電話交換システムの構成を示すブロック図である。本電話交換システムは、公衆電話回線網（ＰＳＴＮ）からの局線Ｌ１乃至Ｌｍに接続された構内交換機１と、構内交換機１が収容する構内電話機２１乃至２ｎとから構成されている。
【００１１】
構内交換機１は、其々局線Ｌ１乃至Ｌｍに接続される局線回路１１１乃至１１ｍ（受信手段）と、この局線回路１１１乃至１１ｍに其々接続されて、ＰＳＴＮからのＣａｌｌｅｒ  ＩＤ情報を検出するＣａｌｌｅｒ  ＩＤ情報を検出するＣａｌｌｅｒ  ＩＤ検出回路１０１乃至１０ｍと、構内電話機２１乃至２ｎにそれぞれ接続され、内線及び外線の接続処理を行う内線回路１２１乃至１２ｎ（構内通信手段）とを有している。
【００１２】
更に、構内交換機１は、局線回路１１１乃至１１ｍ及び内線回路１２１乃至１２ｎとの間の接続路を切り換えるスイッチ回路１３と、この構内交換機１全体の制御を行う制御部１４と、新たなＣａｌｌｅｒ  ＩＤパケットの受信後の経過時間を測定するタイマ１５（計測手段）とを有する。
【００１３】
局線回路１１１乃至１１ｍは、先述の通り其々局線Ｌ１乃至Ｌｎに接続され、ＰＳＴＮから構内電話機２１乃至２ｎへの着信、及び構内電話機２１乃至２ｎからＰＳＴＮへの発信を行う。また、ＰＳＴＮから構内電話機２１乃至２ｎへの着信時には、発信電話機の電話番号等に関するＣａｌｌｅｒ  ＩＤ情報も受信する。
【００１４】
Ｃａｌｌｅｒ  ＩＤ検出回路１０１乃至１０ｍは、それぞれ局線回路１１１乃至１１ｍに其々接続され、局線回路１１１乃至１１ｍから着信があった場合に、発信側電話機に関するＣａｌｌｅｒ  ＩＤ情報を検出する。この際、Ｃａｌｌｅｒ  ＩＤ情報は、これをいくつかに分割したＣａｌｌｅｒ  ＩＤパケットとして発信側電話機から送信されている。
【００１５】
制御部１４は、ＣＰＵ及びメモリから構成され、構内交換機１を構成する各構成要素を制御する。また、制御部１４はタイマ１５に接続されており、其々のＣａｌｌｅｒ  ＩＤ検出回路１０１乃至１０ｍで新たなＣａｌｌｅｒ  ＩＤパケットが受信されてからの経過時間をタイマ１５から取得することができる。
【００１６】
内線回路１２１乃至１２ｎは、スイッチ回路１３により接続路を切り換えられて、局線回路１１１乃至１１ｍ及び内線回路１２１乃至１２ｎとの間の着信、発信、通話等を行うと共に、制御部１４の制御の下、発信電話機のＣａｌｌｅｒ  ＩＤ情報を着信する構内電話機に送信する。構内電話機２１乃至２ｎはそれぞれＬＣＤ２０１を有しており、ここにＣａｌｌｅｒ  ＩＤ情報である発信者の電話番号、発信時間、発信者名等を表示することができる。
【００１７】
図２は、構内電話機２１の構成を示す図である。構内電話機２１は、構内交換機１とのＣａｌｌｅｒ  ＩＤ情報、通話信号等に対するインタフェース処理を行う通信インタフェース回路２０２（通信手段）と、送話信号及び受話信号の増幅や側音処理を行う電話回路２０３と、ハンドセットを構成するスピーカ２０４及びマイクロフォン２０５と、Ｃａｌｌｅｒ  ＩＤ情報を表示するＬＣＤ（Ｌｉｑｕｉｄ  Ｃｒｉｓｔａｌ  Ｄｉｓｐｌａｙ）２０１（表示手段）と、発呼及び着呼時のオン・オフフックや電話番号の入力操作等を行う操作ボタン２０６と、構内電話機２１全体の制御を行う制御部２０７とから構成される。尚、構内電話機２ｎも同様の構成を持つ。
【００１８】
制御部２０７は、ＣＰＵ及びメモリから構成され、構内電話機２１を構成する各要素を制御する。また、制御部２０７は、通信インタフェース回路２０２から受信したＣａｌｌｅｒ  ＩＤ情報を解析し、発信側電話機の電話番号や発信者名等のＣａｌｌｅｒ  ＩＤ情報をＬＣＤ２０１に表示させる働きを持つ。
【００１９】
次に、構内交換機１での着呼後、構内電話機２１のＬＣＤに発信側電話機のＣａｌｌｅｒ  ＩＤ情報を表示する際処理の流れについて、図３乃至図６を参照しながら説明する。尚、以下の説明では、局線Ｌ１から構内電話機２０１への着呼を例に説明を行う。
【００２０】
図３は、構内電話機２１のＬＣＤ２０１にＣａｌｌｅｒ  ＩＤ情報を表示させる際の、構内交換機１の制御部１４の処理の流れを示すフローチャートである。
制御部１４は、局線Ｌ１から局線回路１１１で着呼し、Ｃａｌｌｅｒ  ＩＤパケットがＣａｌｌｅｒ  ＩＤ検出回路１０１で検出されると（Ｓ３０１）、タイマ１５を起動させる（Ｓ３０２）。制御部１４は、Ｃａｌｌｅｒ  ＩＤパケットを受信してから所定時間経過したか否かを判定し（Ｓ３０３）、Ｃａｌｌｅｒ  ＩＤパケットを受信してから所定時間経過していれば（Ｓ３０３のＹｅｓ）、Ｃａｌｌｅｒ  ＩＤ情報を内線回路１２１から構内電話機２１に向けて送信する（Ｓ３０４）。
【００２１】
Ｃａｌｌｅｒ  ＩＤパケットを受信してから所定時間経過していなければ（Ｓ３０３のＮｏ）、制御部１４は、局線回路１１１で新たなＣａｌｌｅｒ  ＩＤパケットを受信したことをＣａｌｌｅｒ  ＩＤ検出回路１０１で検出したか否かを判定する（Ｓ３０５）。新たなＣａｌｌｌｅｒ  ＩＤパケットを受信すれば、（Ｓ３０５のＹｅｓ）、タイマ１５をリセットし（Ｓ３０６）、Ｓ３０３へ戻る。Ｓ３０５で新たなＣａｌｌｅｒ  ＩＤパケットを受信していなければ（Ｓ３０５のＮｏ）、タイマ１５をリセットせずにＳ３０３へ戻る。
【００２２】
図４は、図３で説明した処理によりＣａｌｌｅｒ  ＩＤ情報を送信する際のタイムチャートを示す図である。
時刻Ｔ０において局線回路１１１からＣａｌｌｅｒ  ＩＤパケットを受信し（図３のＳ３０１）、制御部１４はタイマ１５を起動させる。その後、新たなＣａｌｌｅｒ  ＩＤパケットを受信する度に（図３のＳ３０５のＹｅｓ）、制御部１４はタイマ１５をリセットする（図３のＳ３０６）。新たなＣａｌｌｅｒ  ＩＤパケットを受信してから所定時間経過すれば（図３のＳ３０３のＹｅｓ、図４の時刻Ｔ１）、Ｃａｌｌｅｒ  ＩＤ情報の受信が終了したものと判断し、制御部１４は内線回路１２１から構内電話機２１にＣａｌｌｅｒ  ＩＤ情報を送信する（図３のＳ３０４）。
【００２３】
図５は、構内電話機２１のＬＣＤ２０１にＣａｌｌｅｒ  ＩＤ情報を表示させる際の、構内電話機２１の処理の流れを示すフローチャートである。
制御部２０７は、通信インタフェース回路２０２で構内交換機１からＣａｌｌｅｒ  ＩＤ情報を受信したか否かを判定する（Ｓ５０１）。Ｃａｌｌｅｒ  ＩＤ情報を受信していなければ（Ｓ５０１のＮｏ）、Ｃａｌｌｅｒ  ＩＤ情報の受信を待つ（Ｓ５０１）。Ｃａｌｌｅｒ  ＩＤ情報を受信すれば（Ｓ５０１のＹｅｓ）、制御部２０７は当該Ｃａｌｌｅｒ  ＩＤ情報をＬＣＤ２０１に表示させる。
【００２４】
図６は、制御部２０７がＬＣＤ２０１へＣａｌｌｅｒ  ＩＤ情報を表示させた際の表示例である。図６の例では、発信日、発信電話機の電話番号、及び発信者の氏名がＬＣＤ２０１に表示されている。
【００２５】
以上説明したように本実施例によれば、構内交換機１は新たなＣａｌｌｅｒ  ＩＤパケットを受信する度にタイマ１５をリセットし、このタイマ１５が測定する経過時間が所定時間以上になった際にＣａｌｌｅｒ  ＩＤ情報を構内電話機２１に送信する。これにより、初めのＣａｌｌｅｒ  ＩＤ情報のデータ量が小さい場合には、より早くＣａｌｌｅｒ  ＩＤ情報を構内電話機２１に送信することができ、構内電話機２１はより早くＣａｌｌｅｒ  ＩＤ情報をＬＣＤ２０１に表示することができる。
【００２６】
また、本実施例によれば、発信者の電話番号のみならず、Ｃａｌｌｅｒ  ＩＤ情報から発信の日付や発信者の氏名等の情報もＬＣＤ２０１に表示させることができる。
【図面の簡単な説明】
【００２７】
【図１】本発明の実施例１に係る電話交換システム及び構内交換機の構成を示す図。
【図２】本発明の実施例１に係る構内交換機の構成を示す図。
【図３】本発明の実施例１に係る構内電話機のＬＣＤにＣａｌｌｅｒ  ＩＤ情報を表示させる際の、構内交換機の処理の流れを示すフローチャート。
【図４】図３の処理に関するタイムチャート。
【図５】本発明の実施例１に係る電話交換システムの構内電話機のＬＣＤにＣａｌｌｅｒ  ＩＤ情報を表示させる際の、構内電話機の処理の流れを示すフローチャート。
【図６】本発明の実施例１に係る電話交換システムの構内電話機のＬＣＤに表示されるＣａｌｌｅｒ  ＩＤ情報の例を示す図。
【符号の説明】
【００２８】
１・・・構内交換機
２１、２ｎ・・・構内電話機
１３・・・スイッチ回路
１４・・・制御部
１５・・・タイマ
１０１、１０ｍ・・・Ｃａｌｌｅｒ  ＩＤ検出回路
１１１、１１ｍ・・・局線回路
１２１、１２ｎ・・・内線回路
２０１・・・ＬＣＤ
２０２・・・通信インタフェース回路
２０３・・・電話回路
２０４・・・スピーカ
２０５・・・マイクロフォン
２０６・・・操作ボタン
２０７・・・制御部
Ｌ１、Ｌｍ・・・局線
【図１】
2006279833.tif 000003
【図２】
2006279833.tif 000004
【図３】
2006279833.tif 000005
【図４】
2006279833.tif 000006
【図５】
2006279833.tif 000007
【図６】
2006279833.tif 000008